【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
被写体を撮影する撮像手段を備えた撮像装置であって、
前記撮像手段により撮影された第１の撮影画像及び第２の撮影画像を取得する取得手段と、
前記取得手段により取得された第１及び第２の撮影画像内の白飛び領域をそれぞれ検出する検出手段と、
前記検出手段により検出された第１及び第２の撮影画像内の白飛び領域が略同一位置であるか否かを判別する判別手段と、
前記判別手段により略同一位置ではないと判別された場合に、前記第１の撮影画像と前記第２の撮影画像とを処理対象として、そのいずれか一方の撮影画像内の白飛び領域を修正対象の領域として指定すると共に、他方の撮影画像内において前記修正対象領域に相当する位置の領域を抽出対象の領域として指定する指定手段と、
前記指定手段により指定された前記抽出対象領域から抽出した画像部分を前記修正対象領域に合成する合成手段と、
を備えることを特徴とする撮像装置。
【請求項２】
前記取得手段は、前記第１の撮影画像を取得した後に第２の撮影画像を連続して逐次取得し、
前記検出手段は、前記取得手段により第２の撮影画像を連続して逐次取得する毎にその第２撮影画像内の白飛び領域を逐次検出し、
前記判別手段は、前記取得手段により第２の撮影画像を連続して逐次取得する毎に前記検出手段により検出されたその第２の撮影画像内の白飛び領域と前記第１の撮影画像内の白飛び領域が略同一位置であるか否かを逐次判別し、
前記指定手段は、略同一位置ではないと判別された際に、そのときの第２の撮影画像を処理対象とする、
ようにしたことを特徴とする請求項１に記載の撮像装置。
【請求項３】
前記取得手段は、前記連続して逐次取得する第２の撮影画像としてライブビュー画像を逐次取得し、
前記検出手段は、前記取得手段により第２の撮影画像としてライブビュー画像を逐次取得する毎にそのライブビュー画像内の白飛び領域を逐次検出し、
前記判別手段は、前記取得手段により第２の撮影画像としてライブビュー画像を逐次取得する毎に前記検出手段により検出されたライブビュー画像内の白飛び領域と前記第１の撮影画像内の白飛び領域が略同一位置であるか否かを逐次判別し、
前記指定手段は、略同一位置ではないと判別された際に、そのときのライブビュー画像を処理対象の第２の撮影画像とする、
ようにしたことを特徴とする請求項２に記載の撮像装置。
【請求項４】
前記判別手段により第１及び第２の撮影画像内の白飛び領域が略同一位置であると判別された場合に撮影位置の変更を促す報知を行う第一の報知手段を更に備える、
ようにしたことを特徴とする請求項１〜請求項３のいずれかに記載の撮像装置。
【請求項５】
前記検出手段は、前記撮像手段により被写体として撮影されたホワイトボードの撮影画像を解析することにより白飛び領域を検出する、
ようにしたことを特徴とする請求項１〜請求項４のいずれかに記載の撮像装置。
【請求項６】
前記検出手段は、前記撮像手段によりホワイトボードが被写体として撮影された場合に、その撮影画像のヒストグラムから前記ホワイトボードの素の色よりも明るい領域を白飛び領域として検出する、
ようにしたことを特徴とする請求項５に記載の撮像装置。
【請求項７】
前記取得手段により取得された第１及び第２の撮影画像の位置合わせを行う位置合わせ手段を更に備え、
前記判別手段は、前記位置合わせ手段による位置合わせを行った後に、第１及び第２の撮影画像内の白飛び領域が略同一位置であるか否かを判別する、
ようにしたことを特徴とする請求項１〜請求項６のいずれかに記載の撮像装置。
【請求項８】
前記位置合わせ手段は、前記撮像手段によりホワイトボードが被写体として撮影された場合に、ホワイトボードの輪郭に基づいて第１及び第２の撮影画像の位置合わせを行う、
ようにしたことを特徴とする請求項７に記載の撮像装置。
【請求項９】
前記位置合わせ手段は、前記撮像手段によりホワイトボードが被写体として撮影された場合に、台形歪の補正を行い、ホワイトボードの輪郭に基づいて第１及び第２の撮影画像の位置合わせを行う、
ようにしたことを特徴とする請求項７に記載の撮像装置。
【請求項１０】
前記位置合わせ手段は、前記第１及び第２の撮影画像の位置合わせを行う場合に、その位置合わせが可能な画角であるか否かを判別し、
前記位置合わせ手段により位置合わせが不可能な画角であると判別された場合に、撮影位置の変更を促す報知を行う第二の報知手段を更に備える、
ようにしたことを特徴とする請求項８あるいは請求項９に記載の撮像装置。
【請求項１１】
前記検出手段により前記第１の画像内に複数の白飛び領域が検出された場合に、前記判別手段、前記指定手段、前記合成手段は、前記検出手段により検出された白飛び領域の検出数に対応する回数分の動作をそれぞれ実行する、
ようにしたことを特徴とする請求項１〜１０のいずれかに記載の撮像装置。
【請求項１２】
第１の撮影画像及び第２の撮影画像を取得する取得手段と、
前記取得手段により取得された第１及び第２の撮影画像内の白飛び領域をそれぞれ検出する検出手段と、
前記検出手段により検出された第１及び第２の撮影画像内の白飛び領域が略同一位置であるか否かを判別する判別手段と、
前記判別手段により略同一位置ではないと判別された場合に、前記第１の撮影画像と前記第２の撮影画像とを処理対象として、そのいずれか一方の撮影画像内の白飛び領域を修正対象の領域として指定すると共に、他方の撮影画像内において前記修正対象領域に相当する位置の領域を抽出対象の領域として指定する指定手段と、
前記指定手段により指定された前記抽出対象領域から抽出した画像部分を前記修正対象領域に合成する合成手段と、
を備えることを特徴とする画像処理装置。
【請求項１３】
被写体を撮影する撮像手段により撮影された第１の撮影画像及び第２の撮影画像を取得する処理と、
前記取得された第１及び第２の撮影画像内の白飛び領域をそれぞれ検出する処理と、
前記検出された第１及び第２の撮影画像内の白飛び領域が略同一位置であるか否かを判別する処理と、
前記略同一位置ではないと判別された場合に、前記第１の撮影画像と前記第２の撮影画像とを処理対象として、そのいずれか一方の撮影画像内の白飛び領域を修正対象の領域として指定すると共に、他方の撮影画像内において前記修正対象領域に相当する位置の領域を抽出対象の領域として指定する処理と、
前記指定された前記抽出対象領域から抽出した画像部分を前記修正対象領域に合成する処理と、
を含むことを特徴とする撮像処理方法。
【請求項１４】
コンピュータに対して、
被写体を撮影する撮像手段により撮影された第１の撮影画像及び第２の撮影画像を取得する機能と、
前記取得された第１及び第２の撮影画像内の白飛び領域をそれぞれ検出する機能と、
前記検出された第１及び第２の撮影画像内の白飛び領域が略同一位置であるか否かを判別する機能と、
前記略同一位置ではないと判別された場合に、前記第１の撮影画像と前記第２の撮影画像とを処理対象として、そのいずれか一方の撮影画像内の白飛び領域を修正対象の領域として指定すると共に、他方の撮影画像内において前記修正対象領域に相当する位置の領域を抽出対象の領域として指定する機能と、
前記指定された前記抽出対象領域から抽出した画像部分を前記修正対象領域に合成する機能と、
を実現させるためのプログラム。